(57)【要約】【課題】通気管に雨水が浸入することを防止すること。【解決手段】冷却装置１Ａが、側面に第１の吹出口１９が形成されている通気管１２と、通気管１２を内包し側面に第２の吹出口２０が形成されている外管１３と、通気管１２と外管１３との隙間の第１及び第２の吹出口１９、２０よりも下方に設けられた第１の仕切板１４と、第１の仕切板１４に形成された第１の排水口１７を開閉する第１の弁１６とを備えることにより、第２の吹出口２０から浸入した雨水が通気管１２に浸入することなく、第１の排水口１７から排出される。【選択図】図１
2018136047.tif 000002
【特許請求の範囲】
【請求項１】
側面に第１の吹出口が形成されている通気管と、
前記通気管を内包し、側面に第２の吹出口が形成されている外管と、
前記通気管と前記外管との隙間において前記第１及び第２の吹出口よりも下方に設けられた第１の仕切板と、
前記第１の仕切板に形成された第１の排水口を開閉する第１の弁と、を備えた、
冷却装置。
【請求項２】
前記通気管と前記外管の隙間において前記第１及び第２の吹出口よりも上方に設けられた第２の仕切板と、
前記第２の仕切板に形成された第２の排水口を開閉する第２の弁と、を備えた、
請求項１に記載の冷却装置。
【請求項３】
前記第１の弁及び前記第２の弁は、それぞれ、前記第１の吹出口から前記第２の吹出口へ向かう気流が生じている間、前記第１の排水口及び前記第２の排水口を閉じ、前記気流が生じていない間、前記第１の排水口及び前記第２の排水口を開く、
請求項２に記載の冷却装置。
【発明の詳細な説明】
【技術分野】
【０００１】
本発明は、霧を屋外空間に噴き出して屋外空間を冷却する冷却装置に関する。
【背景技術】
【０００２】
夏場の気温が高いとき、路面からの照り返しによって路面付近の温度が非常に高くなることがある。この場合、通行者の体感温度が上昇し、通行者の不快感が増大する。通行者の不快感を軽減する技術として、特許文献１には、霧を歩道などの通路に向けて噴き出す冷却装置が開示されている。
【先行技術文献】
【特許文献】
【０００３】
【特許文献１】特開２０１６−２８２１７号公報
【発明の概要】
【発明が解決しようとする課題】
【０００４】
しかしながら、上述した特許文献１の従来技術では、雨天により冷却装置の運転を停止した場合、空気の吹出口から通気管内に雨水が侵入し、その侵入した雨水が送風機へ到達する可能性がある。送風機へ到達した雨水の液滴は、冷却装置の運転再開時に、送風機が発生させる気流に乗って屋外空間へ吹き出される。この吹き出される液滴は、冷却用に噴出されるミストの粒径よりも大きく、蒸発しないまま液滴として冷却空間を漂うため、通行者に不快感を与えてしまう。また、衛生上の問題や、送風機の故障の原因となる可能性もある。したがって、通気管内への雨水の侵入を防ぐ技術の開発が望まれている。
【０００５】
本発明の目的は、気流の吹出口から浸入した水を、通気管内へ浸入させることなく排水する機構を備えた冷却装置を提供することにある。
【課題を解決するための手段】
【０００６】
前記従来の課題を解決するために、本発明の冷却装置は、側面に第１の吹出口が形成されている通気管と、前記通気管を内包し、側面に第２の吹出口が形成されている外管と、前記通気管と前記外管との隙間において前記第１及び第２の吹出口よりも下方に設けられた第１の仕切板と、前記第１の仕切板に形成された第１の排水口を開閉する第１の弁と、を備える。
【０００７】
このような構成によれば、第１の仕切板は、通気管の第１の吹出口よりも下方に設けられているため、通気管の第１の吹出口よりも下方部分の側面が、第１の吹出口から通気管内部への水の浸入を阻止する止水壁の役割を果たす。また、第２の吹出口から浸入した水が、第１の仕切板に形成された第１の排水口から排出される。
【０００８】
したがって、第２の吹出口から浸入した水は、止水壁の役割を果たす通気管の側面に阻止され、第１の吹出口へ浸入せずに、第１の排水口から排出される。
【発明の効果】
【０００９】
本発明によれば、冷却装置において、気流の吹出口から浸入した水を、通気管内に浸入させることなく排水することができる。
【図面の簡単な説明】
【００１０】
【図１】実施の形態１に係る冷却装置における、停止中の第１の弁の状態を示す図
【図２】実施の形態１に係る冷却装置における、運転中の第１の弁の状態を示す図
【図３】実施の形態２に係る冷却装置における、停止中の第１及び第２の弁の状態を示す図
【図４】実施の形態２に係る冷却装置における、運転中の第１及び第２の弁の状態を示す図
【図５】実施の形態２に係る第２の弁の構成例を示す図
【発明を実施するための形態】
【００１１】
第１の発明は、冷却装置が、側面に第１の吹出口が形成されている通気管と、前記通気管を内包し、側面に第２の吹出口が形成されている外管と、前記通気管と前記外管との隙間において前記第１及び第２の吹出口よりも下方に設けられた第１の仕切板と、前記第１の仕切板に形成された第１の排水口を開閉する第１の弁と、を備えるものである。
【００１２】
第１の発明によれば、第１の仕切板は、通気管の第１の吹出口よりも下方に設けられているため、通気管の第１の吹出口よりも下方部分の側面が、第１の吹出口から通気管内部への水の浸入を阻止する止水壁の役割を果たす。また、第２の吹出口から浸入した水が、第１の仕切板に形成された第１の排水口から排出される。
【００１３】
したがって、第２の吹出口から浸入した水は、止水壁の役割を果たす通気管の側面に阻止され、第１の吹出口へ浸入せずに、第１の排水口から排出される。これにより、冷却装置の運転再開時に、送風機が発生させた気流に乗って雨水の液滴が屋外空間に吹き出されることを防止することができる。
【００１４】
第２の発明は、特に、前記通気管と前記外管の隙間の前記第１及び第２の吹出口よりも上方に設けられた第２の仕切板と、前記第２の仕切板に形成された第２の排水口を開閉する第２の弁と、を備えるものである。
【００１５】
第２の発明によれば、第２の仕切板よりも上方に位置する吹出口から浸入した水は、第２の排水口から排出され、さらに、下方に位置する第１の排水口から排出される。
【００１６】
第３の発明は、特に、前記第１の弁及び前記第２の弁が、それぞれ、前記第１の吹出口から前記第２の吹出口へ向かう気流が生じている間、前記第１の排水口及び前記第２の排水口を閉じ、前記気流が生じていない間、前記第１の排水口及び前記第２の排水口を開く構成としたものである。
【００１７】
第３の発明によれば、冷却装置の運転中は、第１の吹出口から第２の吹出口へ向かう気流が発生するため、第１の弁及び第２の弁は、それぞれ、第１の排水口及び第２の排水口を閉じる。したがって、第２の吹出口から吹き出される気流速度の低下を防止することができる。また、冷却装置の停止中は、第１の吹出口から第２の吹出口へ向かう気流が発生しないため、第１の弁及び第２の弁は、それぞれ、第１の排水口及び第２の排水口を開く。したがって、上記の第１及び第２の発明において述べたように、吹出口から浸入した水を排水口から排出することができる。
【００１８】
以下、本発明の実施の形態について、図面を参照しながら説明する。なお、本実施の形態によって本発明が限定されるものではない。
【００１９】
＜実施の形態１＞
［冷却装置の構成］
図１は、実施の形態１に係る冷却装置１Ａの停止中の構成例を示す。図２は、実施の形態１に係る冷却装置１Ａの運転中の構成例を示す。
【００２０】
冷却装置１Ａは、送風機１１と、通気管１２と、外管１３と、第１の仕切板１４と、第１の弁１６とを備える。
【００２１】
送風機１１は、運転中、通気管１２の下側の開口から、当該通気管１２内を上方へ流れる気流を発生させる。
【００２２】
通気管１２の側面には、複数の第１の吹出口１９が形成されている。
【００２３】
外管１３は、通気管１２を内包する。すなわち、外管１３の断面積は、通気管１２の断面積よりも大きく、外管１３と通気管１２とは二重管を構成する。外管１３の側面には、複数の第２の吹出口２０が形成されている。
【００２４】
通気管１２と外管１３との隙間には、通気管１２と外管１３とを連結する第１の仕切板１４が設けられている。第１の仕切板１４は、第１及び第２の吹出口１９、２０よりも下方に位置する。
【００２５】
第１の仕切板１４には、第１の排水口１７が形成されている。また、第１の仕切板１４には、第１の排水口１７を開閉する第１の弁が設けられている。第１の弁１６は、外力が加わらない間は第１の排水口１７を開放し、外力が加わっている間は第１の排水口１７を閉塞するような構造である。例えば、第１の弁は、送風機１１の運転により、第１の吹出口１９から第２の吹出口２０へ向かう気流が発生した場合、その空気昇圧により、第１の排水口１７を塞ぐ金属の板バネである。しかし、第１の弁の材質は、このような金属に限定されず、弾性域で変形する材質であれば何でもよい。また、第１の弁１６は、板バネに限定されず、送風機１１の運転信号に応じて開閉する電磁弁であってもよい。
【００２６】
なお、第１の吹出口１９と第２の吹出口２０との相対的な位置関係は、図１に示す位置関係に限定されない。例えば、第２の吹出口２０が第１の吹出口１９よりも下方に位置してもよい。
【００２７】
また、第１の吹出口１９と第２の吹出口２０との相対的な位置関係によって、屋外空間へ吹き出す空気の風向を調整することができる。
【００２８】
また、第１の仕切板１４は、通気管１２の第１の吹出口１９よりも下方に設けられているため、通気管１２の第１の吹出口１９よりも下方部分の側面が、第１の吹出口１９から通気管１２内部への雨水の浸入を阻止する止水壁１５の役割を果たす。すなわち、第２の吹出口２０から浸入した雨水は、この止水壁１５でせき止められ、第１の排水口１７を通って、下方に設けられた最終排水口１８から外へ排出される。
【００２９】
［動作］
次に、図１〜図２を参照しながら、実施の形態１に係る冷却装置１Ａの動作について説明する。
【００３０】
図１に示すように、送風機１１の停止中は、第１の吹出口１９から第２の吹出口２０へ向かう気流は未発生となる。したがって、当該流路の気圧は大気圧となり、第１の弁には力が加わらない。よって、第１の弁１６は、第１の排水口１７を開放する。このとき、第２の吹出口２０から浸入した雨水は、止水壁１５により通気管１２の外側でせき止められ、第１の排水口１７を通って外へ排出される。
【００３１】
図２に示すように、送風機１１の運転中は、第１の吹出口１９から第２の吹出口２０へ向かう気流が発生する。したがって、当該流路の気圧は、空気昇圧により、大気圧よりも高くなり、第１の弁１６に力が加わる。よって、第１の弁１６は、第１の排水口１７を閉塞する。
【００３２】
［効果］
本実施の形態によれば、第２の吹出口２０から浸入した雨水を、止水壁１５でせき止め、通気管１２へ浸入させることなく外へ排出することができる。これにより、被水による送風機１１の故障や漏電などを防止できる。なお、第１の弁１６は、当該流路の抵抗となることなく、第１の排水口１７を閉塞することで、第２の吹出口２０から吹き出される気流の量および気流の速度が低下することを防止することができる。また、第２の吹出口２０から屋外空間へ吹き出す気流に雨水の液滴が混入することを防止できるため、冷却空間に存在する人が雨水の液滴によって不快感を抱くことを防止することができる。さらに、雨水の浸入による雑菌の繁殖や悪臭の防止など、衛生上の問題も回避できる。
【００３３】
＜実施の形態２＞
［冷却装置の構成］
図３は、実施の形態２に係る冷却装置１Ｂの停止中の構成例を示す。図４は、実施の形態２に係る冷却装置１Ｂの運転中の構成例を示す。なお、実施の形態１と同じ構成要素については、同じ参照符号を付して説明を省略する。
【００３４】
冷却装置１Ｂは、送風機１１と、通気管１２と、外管１３と、第１の仕切板１４と、第１の弁１６と、第２の仕切板２２と、第２の弁２１とを備える。
【００３５】
通気管１２と外管１３との隙間には、通気管１２と外管１３とを連結する第２の仕切板２２が設けられている。第２の仕切板２２は、第１及び第２の吹出口２０よりも上方に位置する。すなわち、第２の仕切板２２は、第１の仕切板１４よりも上方に位置する。
【００３６】
第２の仕切板２２には、第２の排水口３０が形成されている。また、第２の仕切板２２には、第２の排水口３０を開閉する第２の弁２１が設けられている。第２の弁２１は、外力が加わらない間は第２の排水口３０を開放し、外力が加わっている間は第２の排水口３０を閉塞するような構造である。
【００３７】
図５に、第２の弁２１の構成の一例を示す。第２の弁２１は、支持部材４０と、当該支持部材４０と対向する蓋部４２と、支持部材４０と蓋部４２とを連結する連結部材４４とを備える。支持部材４０の長さは、第２の排水口３０の直径よりも長い。蓋部４２の直径の長さは、第２の排水口３０の直径よりも長い。そして、第２の弁２１は、連結部材４４が第２の排水口３０を貫通するように配置されている。
【００３８】
第２の弁２１は、外力が加わらないと、自重により落下するが、支持部材４０が第２の仕切板２２の上面にひっかかって静止状態となる。このとき、蓋部４２は第２の排水口３０を塞がない。第２の弁２１は、上方への外力が加わると、蓋部４２が第２の排水口３０を塞ぐ。なお、第２の弁２１は、図５の構成に限定されない。例えば、第１の弁１６と同仕様の材質及び構成であってもよい。
【００３９】
なお、第１の仕切板１４と、第２の仕切板２２と、第１の吹出口１９と、第２の吹出口２０との相対的な位置関係によって、屋外空間へ吹き出す空気の風向を調整することができる。例えば、第１の仕切板１４と第２の仕切板２２との間の高さ位置を調整可能な機構とすることにより、冷却装置１Ｂの設置現場において、部品の交換を行うことなく、風向を調整することができる。
【００４０】
［動作］
次に、図３〜図５を参照しながら、実施の形態２に係る冷却装置１Ｂの動作について説明する。
【００４１】
図３に示すように、送風機１１の停止中は、第１の吹出口１９から第２の吹出口２０へ向かう気流は未発生となる。したがって、当該流路の気圧は大気圧となり、第２の弁２１には外力が加わらない。よって、第２の弁２１は、第２の排水口３０を開放する。また、実施の形態１で説明したように、第１の弁１６も第１の排水口１７を開放する。
【００４２】
したがって、第２の仕切板２２よりも上方に位置する第２の吹出口２０から浸入した雨水は、この第２の排水口３０を通って落下し、さらに、第１の排水口１７を通って外へ排出される。
【００４３】
図４に示すように、送風機１１の運転中は、第１の吹出口１９から第２の吹出口２０へ向かう気流が発生する。したがって、当該流路の気圧は、空気昇圧により、大気圧よりも高くなり、第２の弁２１に上方への外力が加わる。よって、第２の弁２１は、第２の排水口３０を閉塞する。また、実施の形態１で説明したように、第１の弁１６も第１の排水口１７を閉塞する。
【００４４】
［効果］
本実施の形態によれば、実施の形態１の効果に加えて、次のような効果を得られる。すなわち、第１の吹出口１９および第２の吹出口２０を、鉛直方向に多段階に設けることができる。
【００４５】
上記実施形態は、何れも本発明の実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００４６】
本発明は、霧を屋外空間に噴き出して屋外空間を冷却する冷却装置に用いるのに好適である。
【符号の説明】
【００４７】
１Ａ、１Ｂ  冷却装置
１１  送風機
１２  通気管
１３  外管
１４  第１の仕切板
１５  止水壁
１６  第１の弁
１７  第１の排水口
１８  最終排水口
１９  第１の吹出口
２０  第２の吹出口
２１  第２の弁
２２  第２の仕切板
３０  第２の排水口
【図１】
2018136047.tif 000003
【図２】
2018136047.tif 000004
【図３】
2018136047.tif 000005
【図４】
2018136047.tif 000006
【図５】
2018136047.tif 000007